(57)【要約】【課題】筺体の回動方向に応じて、所定の機能を起動させるようにする。【解決手段】携帯電話機１は、本体と表示部から構成され、回動部により表示部が回動されることで、折り畳み可能に形成されている。検出部５１は、表示部の本体に対する回動を検出するとともに、その回動方向を検出する。CPU４１は、検出部５１から供給される検出結果に基づいて、表示部が本体に対して時計回りに回動されたと判断した場合、予めユーザにより設定されRAM４３に記憶されている第１の機能を選択し、それを起動する。またCPU４１は、表示部が本体に対して反時計回りに回動されたと判断した場合、予めユーザにより設定されRAM４３に記憶されている第２の機能を選択し、それを起動する。本発明は、携帯電話機に適用することができる。【選択図】図６
2005252592.tif 000002
【特許請求の範囲】
【請求項１】
本体と、
表示部と、
前記本体に対して、前記表示部を回動自在に支持する回動部と
を有する電子機器において、
前記表示部の前記本体に対する回動を検出する第１の検出手段と、
前記第１の検出手段により前記回動が検出された場合、前記表示部の前記本体に対する回動の方向を検出する第２の検出手段と、
前記第１および第２の検出手段による検出結果に基づいて、予め設定された機能を選択して起動する選択手段と
を備えることを特徴とする電子機器。
【請求項２】
前記選択手段は、所定のアプリケーションを選択する
ことを特徴とする請求項１に記載の電子機器。
【請求項３】
前記電子機器は、携帯電話機により構成される
ことを特徴とする請求項1に記載の電子機器。
【請求項４】
前記選択手段は、通話着信、メール着信、または通話中に発光させる所定のＬＥＤの色を選択する
ことを特徴とする請求項３に記載の電子機器。
【請求項５】
本体と、
表示部と、
前記本体に対して、前記表示部を回動自在に支持する回動部と
を有する電子機器の情報処理方法において、
前記表示部の前記本体に対する回動を検出する第１の検出ステップと、
前記第１の検出ステップの処理により前記回動が検出された場合、前記表示部の前記本体に対する回動の方向を検出する第２の検出ステップと、
前記第１および第２の検出ステップの処理による検出結果に基づいて、予め設定された機能を選択して起動する選択ステップと
を含むことを特徴とする情報処理方法。
【請求項６】
本体と、
表示部と、
前記本体に対して、前記表示部を回動自在に支持する回動部と
を有する電子機器の情報処理を制御するプログラムであって、
前記表示部の前記本体に対する回動を検出する第１の検出ステップと、
前記第１の検出ステップの処理により前記回動が検出された場合、前記表示部の前記本体に対する回動の方向を検出する第２の検出ステップと、
前記第１および第２の検出ステップの処理による検出結果に基づいて、予め設定された機能を選択して起動する選択ステップと
を含むことを特徴とするコンピュータが読み取り可能なプログラムが記録されている記録媒体。
【請求項７】
本体と、
表示部と、
前記本体に対して、前記表示部を回動自在に支持する回動部と
を有する電子機器において、
前記表示部の前記本体に対する回動を検出する第１の検出手段と、
前記第１の検出手段により前記回動が検出された場合、前記表示部の前記本体に対する回動の方向を検出する第２の検出手段と、
前記第１および第２の検出手段による検出結果に基づいて、予め設定された画像を選択して表示する選択手段と
を備えることを特徴とする電子機器。
【請求項８】
前記選択手段は、スクリーンセーバ、あるいは、メニュー画面に表示させる背景色および模様を選択する
ことを特徴とする請求項７に記載の電子機器。
【請求項９】
前記電子機器は、携帯電話機により構成される
ことを特徴とする請求項７に記載の電子機器。
【請求項１０】
前記選択手段は、待ち受け画面、あるいは、発着信に表示させる発着信画面を選択する
ことを特徴とする請求項９に記載の電子機器。
【請求項１１】
本体と、
表示部と、
前記本体に対して、前記表示部を回動自在に支持する回動部と
を有する電子機器の情報処理方法において、
前記表示部の前記本体に対する回動を検出する第１の検出ステップと、
前記第１の検出ステップの処理により前記回動が検出された場合、前記表示部の前記本体に対する回動の方向を検出する第２の検出ステップと、
前記第１および第２の検出ステップの処理による検出結果に基づいて、予め設定された画像を選択して表示する選択ステップと
を含むことを特徴とする情報処理方法。
【請求項１２】
本体と、
表示部と、
前記本体に対して、前記表示部を回動自在に支持する回動部と
を有する電子機器の情報処理を制御するプログラムであって、
前記表示部の前記本体に対する回動を検出する第１の検出ステップと、
前記第１の検出ステップの処理により前記回動が検出された場合、前記表示部の前記本体に対する回動の方向を検出する第２の検出ステップと、
前記第１および第２の検出ステップの処理による検出結果に基づいて、予め設定された画像を選択して表示する選択ステップと
を含むことを特徴とするコンピュータが読み取り可能なプログラムが記録されている記録媒体。
【発明の詳細な説明】
【技術分野】
【０００１】
本発明は、電子機器、情報処理方法、および記録媒体に関し、特に、例えば、筺体の回動動作に応じて、所定の機能を起動させることができるようにした電子機器、情報処理方法、および記録媒体に関する。
【背景技術】
【０００２】
近年、主流になってきている折り畳み型の携帯電話機は、例えば、受話用スピーカや表示部などが設けられた第１の筺体と、送話用マイクロフォンや入力部などが設けられた第２の筺体が、中央に配置されたヒンジ部を介して開閉自在に構成されている。
【０００３】
この折り畳み型の携帯電話機は、待ち受け時には筺体を折り畳んで小型化することで良好な携帯性が得られ、通信時には筺体を展開することで高い操作性と視認性が得られる。
【０００４】
しかしながら、昨今の携帯電話機には、例えば、デジタルカメラ機能やテレビ電話機能などが搭載されてきており、それらの高度な機能を実現するために、２つの筺体の間で授受すべき信号線数が多くなり、ヒンジ部を大型化しなければならない。
【０００５】
そこで、例えば、ヒンジ部内に収容されるフレキシブル基板全体を小さくすることで、携帯電話機を小型化するようにしているものが提案されている（例えば、特許文献１参照）。
【０００６】
【特許文献１】特開２００３−２５８９６１号公報
【発明の開示】
【発明が解決しようとする課題】
【０００７】
従来の折り畳み型の携帯電話機は、小型化に関する技術は多く提案されているものの、筺体の回動動作に応じて、所定の機能を起動させたり、所定の画面を表示させるといった技術は全く存在しなかった。
【０００８】
本発明はこのような状況に鑑みてなされたものであり、筺体の回動動作に応じて、所定の機能を起動させたり、所定の画面を表示させることができるようにするものである。
【課題を解決するための手段】
【０００９】
本発明の第１の電子機器は、本体と、表示部と、本体に対して、表示部を回動自在に支持する回動部とを有する電子機器であって、表示部の本体に対する回動を検出する第１の検出手段と、第１の検出手段により回動が検出された場合、表示部の本体に対する回動の方向を検出する第２の検出手段と、第１および第２の検出手段による検出結果に基づいて、予め設定された機能を選択して起動する選択手段とを備えることを特徴とする。
【００１０】
前記選択手段は、所定のアプリケーションを選択するようにすることができる。
【００１１】
前記電子機器は、携帯電話機により構成することができる。
【００１２】
前記選択手段は、通話着信、メール着信、または通話中に発光させる所定のＬＥＤの色を選択するようにすることができる。
【００１３】
本発明の第１の情報処理方法は、本体と、表示部と、本体に対して、表示部を回動自在に支持する回動部とを有する電子機器の情報処理方法であって、表示部の本体に対する回動を検出する第１の検出ステップと、第１の検出ステップの処理により回動が検出された場合、表示部の本体に対する回動の方向を検出する第２の検出ステップと、第１および第２の検出ステップの処理による検出結果に基づいて、予め設定された機能を選択して起動する選択ステップとを含むことを特徴とする。
【００１４】
本発明の第１の記録媒体に記録されているプログラムは、本体と、表示部と、本体に対して、表示部を回動自在に支持する回動部とを有する電子機器の情報処理を制御するプログラムであって、表示部の本体に対する回動を検出する第１の検出ステップと、第１の検出ステップの処理により回動が検出された場合、表示部の本体に対する回動の方向を検出する第２の検出ステップと、第１および第２の検出ステップの処理による検出結果に基づいて、予め設定された機能を選択して起動する選択ステップとを含む処理をコンピュータに行わせることを特徴とする。
【００１５】
本発明の第２の電子機器は、本体と、表示部と、本体に対して、表示部を回動自在に支持する回動部とを有する電子機器にであって、表示部の本体に対する回動を検出する第１の検出手段と、第１の検出手段により回動が検出された場合、表示部の本体に対する回動の方向を検出する第２の検出手段と、第１および第２の検出手段による検出結果に基づいて、予め設定された画像を選択して表示する選択手段とを備えることを特徴とする。
【００１６】
前記選択手段は、スクリーンセーバ、あるいは、メニュー画面に表示させる背景色および模様を選択するようにすることができる。
【００１７】
前記電子機器は、携帯電話機により構成することができる。
【００１８】
前記選択手段は、待ち受け画面、あるいは、発着信に表示させる発着信画面を選択するようにすることができる。
【００１９】
本発明の第２の情報処理方法は、本体と、表示部と、本体に対して、表示部を回動自在に支持する回動部とを有する電子機器の情報処理方法であって、表示部の本体に対する回動を検出する第１の検出ステップと、第１の検出ステップの処理により回動が検出された場合、表示部の本体に対する回動の方向を検出する第２の検出ステップと、第１および第２の検出ステップの処理による検出結果に基づいて、予め設定された画像を選択して表示する選択ステップとを含むことを特徴とする。
【００２０】
本発明の第２の記録媒体に記録されているプログラムは、本体と、表示部と、本体に対して、表示部を回動自在に支持する回動部とを有する電子機器の情報処理を制御するプログラムであって、表示部の本体に対する回動を検出する第１の検出ステップと、第１の検出ステップの処理により回動が検出された場合、表示部の本体に対する回動の方向を検出する第２の検出ステップと、第１および第２の検出ステップの処理による検出結果に基づいて、予め設定された画像を選択して表示する選択ステップとを含む処理をコンピュータに行わせることを特徴とする。
【００２１】
第１の本発明においては、表示部の本体に対する回動が検出された場合、表示部の本体に対する回動の方向が検出され、それらの検出結果に基づいて、予め設定された機能が選択されて起動される。
【００２２】
第２の本発明においては、表示部の本体に対する回動が検出された場合、表示部の本体に対する回動の方向が検出され、それらの検出結果に基づいて、予め設定された画像が選択されて表示される。
【発明の効果】
【００２３】
本発明によれば、本体と表示部を回動自在に支持することができる。特に、筺体の回動方向に応じて、所定の機能を起動させたり、所定の画面を表示させることが可能となる。
【発明を実施するための最良の形態】
【００２４】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２５】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００２６】
請求項１に記載の電子機器は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器であって、表示部の本体に対する回動を検出する第１の検出手段（例えば、図１２のステップＳ１１の処理を実行する図７のリレースイッチ６２）と、第１の検出手段により回動が検出された場合、表示部の本体に対する回動の方向を検出する第２の検出手段（例えば、図１２のステップＳ１３の処理を実行する図７の左右検出部６３）と、第１および第２の検出手段による検出結果に基づいて、予め設定された機能を選択して起動する選択手段（例えば、図１２のステップＳ１４またはＳ１５の処理を実行する図６のCPU４１）とを備えることを特徴とする。
【００２７】
請求項３に記載の電子機器は、携帯電話機（例えば、図１乃至図３の携帯電話機１）により構成されることを特徴とする。
【００２８】
請求項５に記載の情報処理方法は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器の情報処理方法であって、表示部の本体に対する回動を検出する第１の検出ステップ（例えば、図１２のステップＳ１１）と、第１の検出ステップの処理により回動が検出された場合、表示部の本体に対する回動の方向を検出する第２の検出ステップ（例えば、図１２のステップＳ１３）と、第１および第２の検出ステップの処理による検出結果に基づいて、予め設定された機能を選択して起動する選択ステップ（例えば、図１２のステップＳ１４またはＳ１５）とを含むことを特徴とする。
【００２９】
なお、請求項６に記載の記録媒体に記録されているプログラムにおいても、各ステップが対応する実施の形態（但し一例）は、請求項５に記載の情報処理方法と同様である。
【００３０】
請求項７に記載の電子機器は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器であって、表示部の本体に対する回動を検出する第１の検出手段（例えば、図１２のステップＳ１１の処理を実行する図７のリレースイッチ６２）と、第１の検出手段により回動が検出された場合、表示部の本体に対する回動の方向を検出する第２の検出手段（例えば、図１２のステップＳ１３の処理を実行する図７の左右検出部６３）と、第１および第２の検出手段による検出結果に基づいて、予め設定された画像（例えば、図１５および図１６に示す待ち受け画面）を選択して表示する選択手段（例えば、図１４のステップＳ５４またはＳ５５の処理を実行する図６のCPU４１）とを備えることを特徴とする。
【００３１】
請求項９記載の電子機器は、携帯電話機（例えば、図１乃至図３の携帯電話機１）により構成されることを特徴とする。
【００３２】
請求項１１に記載の情報処理方法は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器の情報処理方法であって、表示部の本体に対する回動を検出する第１の検出ステップ（例えば、図１２のステップＳ１１）と、第１の検出ステップの処理により回動が検出された場合、表示部の本体に対する回動の方向を検出する第２の検出ステップ（例えば、図１２のステップＳ１３）と、第１および第２の検出ステップの処理による検出結果に基づいて、予め設定された画像（例えば、図１５および図１６に示す待ち受け画面）を選択して表示する選択ステップ（例えば、図１４のステップＳ５４またはＳ５５）とを含むことを特徴とする。
【００３３】
なお、請求項１２に記載の記録媒体に記録されているプログラムにおいても、各ステップが対応する実施の形態（但し一例）は、請求項１１に記載の情報処理方法と同様である。
【００３４】
以下に、本発明の実施の形態について図面を参照して説明する。
【００３５】
図１乃至図３は、本発明を適用した表示部回転式の携帯電話機１の外観の構成例を示す図である。図１は、携帯電話機１の折り畳みを開いた状態の正面図を示し、図２は、携帯電話機１を折り畳んだ状態の斜視図を示し、図３は、携帯電話機１を折り畳んだ状態の側面図を示している。
【００３６】
携帯電話機１は、基本的に、表示部１２および本体１３から構成され、中央の回動部１１により表示部１２が回動されることで、折り畳み可能に形成されている。
【００３７】
表示部１２の上端近傍には、スピーカ２１が設けられており、スピーカ２１から音声が出力される。表示部１２のほぼ中央には、LCD（Liquid Crystal Display）２２が設けられている。LCD２２には、電波の受信状態、電池の残量、電話帳として登録されている氏名や電話番号、および発信履歴や着信履歴の他、入力ボタン２６が操作されることにより作成された文章（電子メールとして送信する文章）などが表示される。
【００３８】
表示部１２のLCD２２の下方中央には、水平方向（筐体の左右方向）を軸として回転自在なジョグダイヤル２３が、表示部１２の表面から僅かに突出した状態で設けられている。例えば、このジョグダイヤル２３に対する回転操作に応じて、LCD２２に表示されている電子メールのスクロール等が行われる。ジョグダイヤル２３の左右には、左方向ボタン２４、および右方向ボタン２５がそれぞれ設けられている。
【００３９】
一方、本体１３には、「０」乃至「９」の数字ボタン（テンキー）、「＊」ボタン、「♯」ボタンからなる入力ボタン２６が設けられている。ユーザは、この入力ボタン２６を操作することで、例えば、電子メールとして送信する文章やメモ帳などを作成することができる。本体１３の下方近傍には、マイクロフォン２７が設けられており、ユーザの音声が集音される。本体１３の背面には、引き出しまたは収納可能なアンテナ４４（図６）が設けられており、このアンテナ４４を介して、基地局（図示せず）との間で電波が送受信される。
【００４０】
また携帯電話機１は、図２に示されるように、表示部１２が回動部１１により回動されて本体１３と重なり合うように折り畳まれた状態でも、LCD２２、ジョグダイヤル２３、左方向ボタン２４、および右方向ボタン２５が露出されるため、入力ボタン２６を用いることなく特定の機能を操作することができる。
【００４１】
さらに携帯電話機１は、例えば、図４に示されるように、表示部１２を本体１３に対して時計回り（右方向）に回動させたり、あるいは、図５に示されるように、表示部１２を本体１３に対して反時計回り（左方向）に回動させることで、所定の機能を起動したり、あるいは、所定の待ち受け画面を表示することができる。
【００４２】
以下、図１に示した携帯電話機１の状態を「開いた状態」と称し、図３に示した携帯電話機１の状態を「閉じた状態」と称する。
【００４３】
図６は、携帯電話機１の内部の構成例を示すブロック図である。
【００４４】
CPU（Central Processing Unit）４１は、ROM（Read Only Memory）４２に記憶されている制御プログラムをRAM（Random Access Memory）４３に展開し、制御バス４７を介して携帯電話機１の全体の動作を制御する。例えば、CPU４１は、文章を作成することがユーザにより指示されたとき、所定の文章作成プログラムを起動させ、表示制御部４６を制御し、文章作成画面をLCD２２に表示させる。またCPU４１は、各種の処理を実行する上において必要なデータなどをRAM４２に記憶させる。
【００４５】
通信制御部４５は、アンテナ４４を介して基地局（図示せず）との間で電波を送受信し、例えば、音声通話モード時において、アンテナ４４で受信されたRF（Radio Frequency）信号を増幅して周波数変換処理、アナログディジタル変換処理、スペクトラム逆拡散処理等の所定の処理を施し、得られた音声データを音声コーデック５０に出力する。また、通信制御部４５は、音声コーデック５０から音声データが供給されてきたとき、ディジタルアナログ変換処理、周波数変換処理、およびスペクトラム拡散処理等の所定の処理を施し、得られた音声信号をアンテナ４４から送信する。
【００４６】
表示制御部４６は、LCD２２の表示を制御し、各種情報をテキストやイメージなどで表示させる。入力部４８は、ジョグダイヤル２３、左方向ボタン２４、右方向ボタン２５、および入力ボタン２６等により構成され、それらに対するユーザの操作を検出し、それらのボタンが押下されたとき、対応する信号をCPU４１に出力する。記憶部４９は、電話帳として登録されている氏名や電話番号、発信履歴および着信履歴、並びに送受信した電子メールなどを記憶する。
【００４７】
音声コーデック５０は、通信制御部４５から供給されてきた音声データを音声信号に変換し、対応する音声信号をスピーカ２１から出力する。また、音声コーデック５０は、マイクロフォン２７により集音されたユーザの音声を音声データに変換し、それを通信制御部４５に出力する。
【００４８】
検出部５１は、回動部１１の近傍に設けられており、携帯電話機１の開いた状態または閉じた状態を検出するとともに、回動方向（時計回りまたは反時計回り）などを検出する。検出部５１による検出結果は、CPU４１に通知される。
【００４９】
CPU４１、ROM４２、RAM４３、通信制御部４５、表示制御部４６、入力部４８、記憶部４９、音声コーデック５０、および検出部５１は、制御バス４７を介して相互に接続されている。また、通信制御部４５、表示制御部４６、記憶部４９、音声コーデック５０、およびドライブ５２は、データバス５４を介して相互に接続されている。
【００５０】
さらに制御バス４７には、必要に応じてドライブ５２が接続され、磁気ディスク、光ディスク、光磁気ディスク、あるいは、半導体メモリなどのリムーバブルメディア５３が適宜装着され、それから読み出されたコンピュータプログラムが、必要に応じて携帯電話機１にインストールされる。
【００５１】
図７は、検出部５１の内部の構成例を示すブロック図である。同図に示されるように、検出部５１は、磁石６１、リレースイッチ６２、および左右検出部６３で構成されており、磁石６１は、表示部１２側に設けられ、リレースイッチ６２および左右検出部６３は、本体１３側に設けられている。
【００５２】
リレースイッチ６２の一方の端子は、電源６４に接続され、他方の端子は、抵抗６５を介してグランドに接地されている。またリレースイッチ６２の抵抗６５が接続されている端子には、CPU４１が接続されている。リレースイッチ６２は、磁石６１の接近により内部の接点がショートされると、開閉検出信号の出力レベルをＨレベル（高レベル）に変化させ、磁石６１の離反により内部の接点がオープンされると、開閉検出信号の出力レベルをＬレベル（低レベル）に変化させる。そしてリレースイッチ６２は、これらの開閉検出信号をCPU４１に供給する。
【００５３】
左右検出部６３の一方の端子は、抵抗６６を介して電源６４に接続され、他方の端子は、グランドに接地されている。また左右検出部６３の抵抗６６が接続されている端子には、CPU４１が接続されている。左右検出部６３は、その詳細は、図８乃至図１０を参照して後述するが、表示部１２の本体１３に対する回動方向を検出し、時計回り（右方向）に回動された場合には左右検出信号の出力レベルをＬレベルに変化させ、反時計回り（左方向）に回動された場合には左右検出信号の出力レベルをＨレベルに変化させる。そして左右検出部６３は、これらの左右検出信号をCPU４１に供給する。
【００５４】
CPU４１は、リレースイッチ６２から供給される開閉検出信号の出力レベルがＨレベルからＬレベルに変化したとき（すなわち、携帯電話機１が閉じた状態から開いた状態になったことを検出したとき）、左右検出部６３から供給される左右検出信号の出力レベルを取得することにより、携帯電話機１の表示部１２が本体１３に対して、時計回り（右方向）または反時計回り（左方向）のいずれの方向で開かれたかを検出する。
【００５５】
なお、CPU４１は、開閉検出信号の出力レベルがＨレベルからＬレベルに変化したとき、携帯電話機１が閉じた状態から開いた状態になったと判断するが、開閉検出信号の出力レベルが逆になるように予め設定しておくことで、開閉検出信号の出力レベルがＬレベルからＨレベルに変化したとき、携帯電話機１が閉じた状態から開いた状態になったと判断することもできる。
【００５６】
図８は、図７の左右検出部６３の内部の構成例を示す図である。
【００５７】
左右検出部６３を構成する突起部７１は、回動部１１上に設けられており、突起部７１の回動方向の片面には、カーボン７２が固着されている。また回動部１１が、図中矢印Ａ方向またはＢ方向に１８０度回動された場合に、突起部７１と物理的に接点を持つ位置には、他の突起部７３が配置されている。突起部７３には、突起部７１と物理的に接続がある場合、突起部７１に固着されているカーボン７２と対向する面にカーボン７４が固着されている。
【００５８】
カーボン７４は、抵抗６６を介して電源６４と接続され、カーボン７２は、グランドに接地されている。またカーボン７４は、CPU４１と接続されており、表示部１２が本体１３に対して時計回り（右方向）または反時計回り（左方向）のいずれの方向に開かれたかを表わす左右検出信号をCPU４１に供給する。
【００５９】
図９は、図８に示した左右検出部６３において、矢印Ａ方向（左方向）に、回動部１１が回動された場合の構成例を示す図である。
【００６０】
同図に示されるように、矢印Ａ方向（左方向）に回動部１１が回動された場合、突起部７３に固着されているカーボン７４と、突起部７１に固着されているカーボン７２が物理的に接続されるため、カーボン７４は、左右検出信号の出力レベルを変化させずに、Ｈレベルのまま、CPU４１に供給する。
【００６１】
図１０は、図８に示した左右検出部６３において、矢印Ｂ方向（右方向）に、回動部１１が回動された場合の構成例を示す図である。
【００６２】
同図に示されるように、矢印Ｂ方向（右方向）に回動部１１が回動された場合、突起部７３のカーボン７４が固着されていない面と、突起部７１のカーボン７２が固着されていない面が物理的に接続されるため（すなわち、カーボン７２とカーボン７４が非接続とされるため）、カーボン７４は、左右検出信号の出力レベルをＬレベルに変化させて、CPU４１に供給する。
【００６３】
なお、左右検出部６３は、グランドとの接続により、表示部１２が時計回り（右方向）に回動された場合には、左右検出信号の出力レベルをＬレベルに変化させて出力し、反時計回り（左方向）に回動された場合には、左右検出信号の出力レベルを変化させずにＨレベルのまま出力するが、カーボン７２およびカーボン７４をそれぞれ突起部７１および突起部７３の反対面に固着することで、表示部１２が時計回り（右方向）に回動された場合に、左右検出信号の出力レベルを変化させずにＨレベルのまま出力し、反時計回り（左方向）に回動された場合に、左右検出信号の出力レベルをＬレベルに変化させて出力するようにすることもできる。
【００６４】
次に、図１１のフローチャートを参照して、携帯電話機１が実行する機能設定処理について説明する。この処理は、例えば、ユーザが、表示部１２の本体１３に対する回動方向に応じて所定の機能を起動させたい場合において、LCD２２に表示されるメニューから機能設定処理を開始する項目（図示せず）が選択されたとき、開始される。
【００６５】
ステップＳ１において、CPU４１は、ユーザにより、ジョグダイヤル２３や入力ボタン２６などが操作されて、表示部１２が本体１３に対して時計回りに回動された場合（図４）に起動させる機能が入力されたか否か、すなわち、ユーザ入力に基づく信号（以下、ユーザ入力信号と称する）が入力部４８から供給されたか否かを判定し、表示部１２が本体１３に対して時計回りに回動された場合に起動させる機能が入力されたと判定するまで待機する。
【００６６】
そして、ステップＳ１において、表示部１２が本体１３に対して時計回りに回動された場合に起動させる機能（例えば、電話発呼プログラム）が入力されたと判定された場合、ステップＳ２に進み、CPU４１は、ユーザ入力信号に基づいて、表示部１２が本体１３に対して時計回りに回動された場合に起動させる機能（いまの場合、電話発呼プログラム）を設定し、それをRAM４３に記憶させる。
【００６７】
ステップＳ３において、CPU４１は、ユーザにより、表示部１２が本体１３に対して反時計回りに回動された場合（図５）に起動させる機能が入力されたか否かを判定し、その機能が入力されたと判定するまで待機する。
【００６８】
そして、ステップＳ３において、表示部１２が本体１３に対して反時計回りに回動された場合に起動させる機能（例えば、電子メール送受信プログラム）が入力されたと判定された場合、ステップＳ４に進み、CPU４１は、ユーザ入力信号に基づいて、表示部１２が本体１３に対して反時計回りに回動された場合に起動させる機能（いまの場合、電子メール送受信プログラム）を設定し、それをRAM４３に記憶させる。
【００６９】
以上の処理により、表示部１２が本体１３に対して時計回りに回動された場合（図４）に起動させる機能（いまの場合、電話発呼プログラム）が設定されるとともに、表示部１２が本体１３に対して反時計回りに回動された場合（図５）に起動させる機能（いまの場合、電子メール送受信プログラム）が設定される。
【００７０】
なお、以上においては、表示部１２が時計回りに回動された場合に起動させる機能の設定処理、および、表示部１２が反時計回りに回動された場合に起動させる機能の設定処理の順で行うようにしたが、これはあくまで一例であり、この逆順で行うようにすることも勿論可能である。
【００７１】
また以上においては、表示部１２の本体１３に対する回動方向に応じて起動させる機能として、電話発呼プログラムおよび電子メール送受信プログラムを設定するようにしたが、これに限らず、例えば、インターネット接続プログラム、カメラ撮影プログラム、画像閲覧プログラム、電話帳管理プログラム、またはスケジュール管理プログラムなどを設定することもできる。
【００７２】
次に、図１２のフローチャートを参照して、携帯電話機１が実行する機能選択処理について説明する。この処理は、表示部１２が閉じた状態（図３）である場合、すなわち、検出部５１のリレースイッチ６２からCPU４１に供給される開閉検出信号の出力レベルがＨレベルである場合に開始される。
【００７３】
ステップＳ１１において、CPU４１は、検出部５１のリレースイッチ６２から供給される開閉検出信号の出力レベルがＨレベルからＬレベルに変化したか否かを判定し、開閉検出信号の出力レベルがＨレベルからＬレベルに変化するまで待機する。そして、ステップＳ１１において、開閉検出信号の出力レベルがＨレベルからＬレベルに変化したと判定された場合、ステップＳ１２に進み、CPU４１は、携帯電話機１の表示部１２が開いた状態になったと判断し、検出部５１の左右検出部６３から供給される左右検出信号を取得する。
【００７４】
ステップＳ１３において、CPU４１は、ステップＳ１２の処理で取得した左右検出信号の出力レベルがＬレベルであるか否かを判定し、左右検出信号の出力レベルがＬレベルであると判定した場合、ステップＳ１４に進み、上述した図１１のステップＳ２の処理によりRAM４３に記憶されている、表示部１２が本体１３に対して時計回り（右方向）に回動された場合に起動させる機能（いまの場合、電話発呼プログラム）を選択し、それを起動する。
【００７５】
ステップＳ１３において、左右検出信号の出力レベルがＬレベルではない、すなわち、Ｈレベルであると判定された場合、ステップＳ１５に進み、CPU４１は、上述した図１１のステップＳ４の処理によりRAM４３に記憶されている、表示部１２が本体１３に対して反時計回り（左方向）に回動された場合に起動させる機能（いまの場合、電子メール送受信プログラム）を選択し、それを起動する。
【００７６】
以上の処理により、携帯電話機１は、表示部１２の本体１３に対する回動方向に応じて、ユーザにより予め設定された所定の機能を起動させることができる。例えば、ユーザは、表示部１２の本体１３に対する回動方向に応じて起動させる機能として、頻繁に利用する機能を設定しておくことにより、表示部１２を回動させるだけで、簡単にその機能を起動させることができ、キー操作を減らすことができる。
【００７７】
また、携帯電話機１の表示部１２が閉じた状態（図３）から開いた状態（図１）になった場合に所定の機能を起動させるようにしたが、開いた状態から閉じた状態になった場合に所定の機能を起動させるような設定を行うことも勿論可能である。
【００７８】
さらに以上においては、表示部１２の本体１３に対する回動方向に応じて所定の機能を起動させるようにしたが、本発明はこれに限られるものではなく、例えば、表示部１２の本体１３に対する回動方向に応じて所定の待ち受け画面を表示させることもできる。
【００７９】
次に、図１３のフローチャートを参照して、携帯電話機１が実行する待ち受け画面設定処理について説明する。この処理は、例えば、ユーザが、表示部１２の本体１３に対する回動方向に応じて所定の待ち受け画面を表示させたい場合において、LCD２２に表示されるメニューから待ち受け画面設定処理を開始する項目（図示せず）が選択されたとき、開始される。
【００８０】
ステップＳ３１において、CPU４１は、ユーザにより、ジョグダイヤル２３や入力ボタン２６などが操作されて、表示部１２が本体１３に対して時計回りに回動された場合（図４）に表示させる待ち受け画面が入力されたか否かを判定し、その待ち受け画面が入力されたと判定するまで待機する。
【００８１】
そして、ステップＳ３１において、表示部１２が本体１３に対して時計回りに回動された場合に表示させる待ち受け画面が入力されたと判定された場合、ステップＳ３２に進み、CPU４１は、ユーザ入力信号に基づいて、表示部１２が本体１３に対して時計回りに回動された場合に表示させる待ち受け画面を設定し、それをRAM４３に記憶させる。
【００８２】
ステップＳ３３において、CPU４１は、ユーザにより、表示部１２が本体１３に対して反時計回りに回動された場合（図５）に表示させる待ち受け画面が入力されたか否かを判定し、その待ち受け画面が入力されたと判定するまで待機する。
【００８３】
そして、ステップＳ３４において、表示部１２が本体１３に対して反時計回りに回動された場合に表示させる待ち受け画面が入力されたと判定された場合、ステップＳ３４に進み、CPU４１は、ユーザ入力信号に基づいて、表示部１２が本体１３に対して反時計回りに回動された場合に表示させる待ち受け画面を設定し、それをRAM４３に記憶させる。
【００８４】
以上の処理により、表示部１２が本体１３に対して時計回りに回動された場合（図４）に表示させる待ち受け画面が設定されるとともに、表示部１２が本体１３に対して反時計回りに回動された場合（図５）に表示させる待ち受け画面が設定される。
【００８５】
なお、以上においては、表示部１２が時計回りに回動された場合に表示させる待ち受け画面の設定処理、および、表示部１２が反時計回りに回動された場合に表示させる待ち受け画面の設定処理の順で行うようにしたが、これはあくまで一例であり、この逆順で行うようにすることも勿論可能である。
【００８６】
次に、図１４のフローチャートを参照して、携帯電話機１が実行する待ち受け画面選択処理について説明する。この処理は、表示部１２が閉じた状態（図３）である場合、すなわち、検出部５１のリレースイッチ６２からCPU４１に供給される開閉検出信号の出力レベルがＨレベルである場合に開始される。
【００８７】
ステップＳ５１において、CPU４１は、検出部５１のリレースイッチ６２から供給される開閉検出信号の出力レベルがＨレベルからＬレベルに変化したか否かを判定し、開閉検出信号の出力レベルがＨレベルからＬレベルに変化するまで待機する。そして、ステップＳ５１において、開閉検出信号の出力レベルがＨレベルからＬレベルに変化したと判定された場合、ステップＳ５２に進み、CPU４１は、携帯電話機１の表示部１２が開いた状態になったと判断し、検出部５１の左右検出部６３から供給される左右検出信号を取得する。
【００８８】
ステップＳ５３において、CPU４１は、ステップＳ５２の処理で取得した左右検出信号の出力レベルがＬレベルであるか否かを判定し、左右検出信号の出力レベルがＬレベルであると判定した場合、ステップＳ５４に進み、上述した図１３のステップＳ３２の処理によりRAM４３に記憶されている、表示部１２が本体１３に対して時計回りに回動された場合に表示させる待ち受け画面を選択し、それをLCD２２に表示させる。これにより、例えば、図１５に示されるように、LCD２２には、「パンダ」の画像が表示されるとともに、表示部１２が本体１３に対して時計回りおよび反時計回りに回動可能であることを表わすアイコン９１が表示される。
【００８９】
ユーザは、LCD２２に表示されているアイコン９１を見て、表示部１２が本体１３に対して時計回りまたは反時計回りに回動可能であることを知ることができる。
【００９０】
ステップＳ５３において、左右検出信号の出力レベルがＬレベルではない、すなわち、Ｈレベルであると判定された場合、ステップＳ５５に進み、CPU４１は、上述した図１３のステップＳ３４の処理によりRAM４３に記憶されている、表示部１２が本体１３に対して反時計回りに回動された場合に表示させる待ち受け画面を選択し、それをLCD２２に表示させる。これにより、例えば、図１６に示されるように、LCD２２には、「風景」の画像が表示されるとともに、表示部１２が本体１３に対して時計回りおよび反時計回りに回動可能であることを表わすアイコン９１が表示される。
【００９１】
ユーザは、LCD２２に表示されているアイコン９１を見て、表示部１２が本体１３に対して時計回りおよび反時計回りに回動可能であることを知ることができる。
【００９２】
以上の処理により、携帯電話機１は、表示部１２の本体１３に対する回動方向に応じて、ユーザにより予め設定された所定の待ち受け画面を表示させることができる。
【００９３】
例えば、ユーザは、それぞれの回動方向に応じて、業務中に使う待ち受け画面と、プライベートで使う待ち受け画面をそれぞれ設定することにより、携帯電話機１を開く方向によって、それらを瞬時に使い分けることができる。
【００９４】
また例えば、ユーザは、それぞれの回動方向に応じて、プライベートの画像と、日常用の画像をそれぞれ待ち受け画面として設定することにより、プライベートの画像を、他の人に見られたくない場合には、日常用の画像が設定されている方向に携帯電話機１を開くことによって、プライバシを保護しつつ、所定の機能を起動させることができる。
【００９５】
以上においては、携帯電話機１の表示部１２が閉じた状態（図３）から開いた状態（図１）になった場合に、その回動方向に応じて所定の待ち受け画面を表示させるようにしたが、開いた状態から閉じた状態になった場合に所定の待ち受け画面を表示させるような設定を行うことも勿論可能である。
【００９６】
また、携帯電話機１の表示部１２が閉じた状態（図３）から開いた状態（図１）になった場合に所定の機能を起動させ、開いた状態から閉じた状態になった場合に所定の待ち受け画面を表示させるような設定を行うことも可能である。
【００９７】
さらに以上においては、表示部１２の本体１３に対する回動方向に応じて、所定の機能（アプリケーションなど）を起動させたり、所定の待ち受け画面を表示させるようにしたが、本発明はこれに限られるものではなく、例えば、表示部１２の本体１３に対する回動方向に応じて、所定のスクリーンセーバを動作させるようにしたり、発着信において所定の発着信画面を表示させるようにしたり、メニュー画面において所定の背景色や模様などを表示させるようにしたり、あるいは、通話着信、メール着信、または通話中などにおいて所定のLED（light emitting diode）の色をそれぞれ発光させるようにすることもできる。
【００９８】
以上においては、携帯電話機１の開閉を検出する方法として、磁石６１およびリレースイッチ６２を用いるようにしたが、例えば、携帯電話機１の開いた状態と閉じた状態で異なる信号を検出することができる方法であれば、その方法を用いるようにしてもよい。また、携帯電話機１の表示部１２の本体１３に対する回動方向を検出する方法として、左右検出部６３を用いるようにしたが、例えば、携帯電話機１の時計回り（右方向）と反時計回り（左方向）の回動方向で異なる信号を検出することができる方法であれば、その方法を用いるようにしてもよい。
【００９９】
また以上においては、表示部回転式の携帯電話機１を例に挙げて説明したが、本発明はこれに限られるものではなく、以上の処理を、表示部と本体が回動部により回動可能に形成された、あるいは、表示部と本体がヒンジ部により開閉可能に形成されたPDA（Personal Digital Assistant）や携帯型情報端末装置などの電子機器にも広く適用することが可能である。
【０１００】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１０１】
この記録媒体は、図６に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、光磁気ディスク（MD(Mini-Disc)（登録商標）を含む）、もしくは半導体メモリなどのリムーバブルメディア５３により構成されるだけでなく、装置本体に予め組み込まれた状態でユーザに提供される、プログラムが記録されているROM４２や記憶部４９などで構成される。
【０１０２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１０３】
【図１】本発明を適用した携帯電話機の折り畳みを開いた状を示す正面図である。
【図２】図１の携帯電話機を折り畳んだ状態を示す斜視図である。
【図３】図１の携帯電話機を折り畳んだ状態を示す側面図である。
【図４】表示部を本体に対して時計回りに回動させる様子を示す図である。
【図５】表示部を本体に対して反時計回りに回動させる様子を示す図である。
【図６】携帯電話機の内部の構成例を示すブロック図である。
【図７】検出部の内部の構成例を示すブロック図である。
【図８】左右検出部の内部の構成例を示す図である。
【図９】図８の左右検出部において、矢印Ａ方向に回動部が回動された場合の構成例を示す図である。
【図１０】図８の左右検出部において、矢印Ｂ方向に回動部が回動された場合の構成例を示す図である。
【図１１】機能設定処理を説明するフローチャートである。
【図１２】機能選択処理を説明するフローチャートである。
【図１３】待ち受け画面設定処理を説明するフローチャートである。
【図１４】待ち受け画面選択処理を説明するフローチャートである。
【図１５】LCDに表示される画像の例を示す図である。
【図１６】LCDに表示される画像の他の例を示す図である。
【符号の説明】
【０１０４】
１  携帯電話機，  １１  回動部，  １２  表示部，  １３  本体，  ２２  LCD，  ２３  ジョグダイヤル，  ２６  入力ボタン，  ４１  CPU，  ４３  RAM，  ５１  検出部，  ６１  磁石，  ６２  リレースイッチ，  ６３  左右検出部，  ７１  突起部，  ７２  カーボン，  ７３  突起部，  ７４  カーボン
【図１】
2005252592.tif 000003
【図２】
2005252592.tif 000004
【図３】
2005252592.tif 000005
【図４】
2005252592.tif 000006
【図５】
2005252592.tif 000007
【図６】
2005252592.tif 000008
【図７】
2005252592.tif 000009
【図８】
2005252592.tif 000010
【図９】
2005252592.tif 000011
【図１０】
2005252592.tif 000012
【図１１】
2005252592.tif 000013
【図１２】
2005252592.tif 000014
【図１３】
2005252592.tif 000015
【図１４】
2005252592.tif 000016
【図１５】
2005252592.tif 000017
【図１６】
2005252592.tif 000018